【手続補正書】
【提出日】平成25年10月21日(2013.10.21)
【手続補正１】
【補正対象書類名】明細書
【補正対象項目名】０１５３
【補正方法】変更
【補正の内容】
【０１５３】
本願で引用した全ての参照文献及び刊行物は、本開示と完全には矛盾することのない程度まで、その全てが引用によって本開示に明白に組み込まれる。本明細書において特定の実施形態が例示及び説明されてきたが、多様な代替及び／又は同等の実施が、本開示の範囲から逸脱することなく、図示され説明された特定の実施形態と置き換えられ得ることは、当業者には理解されるであろう。本出願は、本明細書で説明された特定の実施形態のいかなる翻案又は変形をも包含すべく意図されている。したがって、本開示が「特許請求の範囲」及びその同等物によってのみ限定されることを、意図するものである。本発明の実施態様の一部を以下の項目［１］−［１０５］に記載する。
［１］
結合剤と；
複数の粒子と；
複数の相互接続した空隙と、を含む勾配光学フィルムであって、前記結合剤と前記複数の粒子の重量比は約１：２以上であり、前記複数の相互接続した空隙の局所体積分率は、前記勾配光学フィルムの厚さ方向に沿って変化する、勾配光学フィルム。
［２］
前記勾配光学フィルムの第１の表面に近接した前記複数の相互接続した空隙の第１の局所体積分率が、前記勾配光学フィルムの反対面に近接した前記複数の相互接続した空隙の第２の局所体積分率よりも高い、項目１に記載の勾配光学フィルム。
［３］
前記複数の相互接続した空隙の前記局所体積分率が、前記勾配光学フィルムの前記厚さ方向に沿って単調に変化する、項目１に記載の勾配光学フィルム。
［４］
前記複数の相互接続した空隙の前記局所体積分率が、前記勾配光学フィルムの前記厚さに沿って最小局所体積分率又は最大局所体積分率を含む、項目１に記載の勾配光学フィルム。
［５］
前記複数の相互接続した空隙の前記局所体積分率が、前記勾配光学フィルムの前記厚さ方向に沿って階段状に変化する、項目１に記載の勾配光学フィルム。
［６］
前記複数の相互接続した空隙の前記第２の体積分率が、前記複数の相互接続した空隙の前記第１の体積分率の５０％未満である、項目２に記載の勾配光学フィルム。
［７］
前記複数の相互接続した空隙の前記第２の体積分率が、前記複数の相互接続した空隙の前記第１の体積分率の２０％未満である、項目２に記載の勾配光学フィルム。
［８］
前記複数の相互接続した空隙の前記第２の体積分率が、前記複数の相互接続した空隙の前記第１の体積分率の１０％未満である、項目２に記載の勾配光学フィルム。
［９］
前記複数の相互接続した空隙の前記第２の体積分率が、前記複数の相互接続した空隙の前記第１の体積分率の１％未満である、項目２に記載の勾配光学フィルム。
［１０］
前記勾配光学フィルムが、約３０％以上である前記複数の相互接続した空隙の嵩体積分率を有する、項目１に記載の勾配光学フィルム。
［１１］
前記結合剤と前記複数の粒子の重量比が、約１：１．５以上である、項目１に記載の勾配光学フィルム。
［１２］
前記複数の粒子の少なくともいくつかが、前記結合剤に化学的に結合する反応性基を含む、項目１に記載の勾配光学フィルム。
［１３］
前記複数の粒子の少なくともいくつかが、反応性基を含まない、項目１に記載の勾配光学フィルム。
［１４］
前記複数の粒子が、約２マイクロメートル以下である平均寸法を有する、項目１に記載の勾配光学フィルム。
［１５］
前記複数の粒子が、約１マイクロメートル以下である平均寸法を有する、項目１に記載の勾配光学フィルム。
［１６］
前記複数の粒子が、細長粒子又は球形粒子を含む、項目１に記載の勾配光学フィルム。
［１７］
前記複数の相互接続した空隙が、約３マイクロメートル以下である平均空隙寸法を有する、項目１に記載の勾配光学フィルム。
［１８］
前記複数の相互接続した空隙が、約１マイクロメートル以下である平均空隙寸法を有する、項目１に記載の勾配光学フィルム。
［１９］
前記複数の相互接続した空隙が、約０．７マイクロメートル以下である平均空隙寸法を有する、項目１に記載の勾配光学フィルム。
［２０］
前記勾配光学フィルムの中の前記複数の相互接続した空隙の前記嵩体積分率が、約３０％以上である、項目１０に記載の勾配光学フィルム。
［２１］
前記勾配光学フィルムの中の前記複数の相互接続した空隙の前記嵩体積分率が、約５０％以上である、項目１０に記載の勾配光学フィルム。
［２２］
前記結合剤と前記複数の粒子の前記重量比が、約１：１以上である、項目１１に記載の勾配光学フィルム。
［２３］
前記結合剤と前記複数の粒子の前記重量比が、約２：１以上である、項目１１に記載の勾配光学フィルム。
［２４］
前記第１の表面における前記勾配光学フィルムの有効屈折率が、前記反対面における前記勾配光学フィルムの該有効屈折率よりも低い、項目２に記載の勾配光学フィルム。
［２５］
前記第１の表面における前記勾配光学フィルムの前記有効屈折率と、前記反対面における前記勾配光学フィルムの前記有効屈折率の差が、約０．０１〜約０．２５の範囲である、項目２４に記載の勾配光学フィルム。
［２６］
前記第１の表面における前記勾配光学フィルムの前記有効屈折率が、約１．３５以下である、項目２４に記載の勾配光学フィルム。
［２７］
前記第１の表面における前記勾配光学フィルムの前記有効屈折率が、約１．２５以下である、項目２４に記載の勾配光学フィルム。
［２８］
前記第１の表面における前記勾配光学フィルムの前記有効屈折率が、約１．２０以下である、項目２４に記載の勾配光学フィルム。
［２９］
前記第１の表面における前記勾配光学フィルムの前記有効屈折率が、約１．１５以下である、項目２４に記載の勾配光学フィルム。
［３０］
約２０％以下である光学ヘイズを有する、項目１に記載の勾配光学フィルム。
［３１］
約５０％以上である光学ヘイズを有する、項目１に記載の勾配光学フィルム。
［３２］
約７０％以上である光学ヘイズを有する、項目１に記載の勾配光学フィルム。
［３３］
約８０％以上である光学ヘイズを有する、項目１に記載の勾配光学フィルム。
［３４］
約９０％以上である光学ヘイズを有する、項目１に記載の勾配光学フィルム。
［３５］
約１０％以下である光学的透明度を有する、項目１に記載の勾配光学フィルム。
［３６］
約５％以下である光学的透明度を有する、項目１に記載の勾配光学フィルム。
［３７］
約５０％以上である光学的透明度を有する、項目１に記載の勾配光学フィルム。
［３８］
約７０％以上である光学的透明度を有する、項目１に記載の勾配光学フィルム。
［３９］
約９０％以上である光学的透明度を有する、項目１に記載の勾配光学フィルム。
［４０］
約３０％以上である拡散光反射率を有する、項目１に記載の勾配光学フィルム。
［４１］
約４０％以上である拡散光反射率を有する、項目１に記載の勾配光学フィルム。
［４２］
約５０％以上である拡散光反射率を有する、項目１に記載の勾配光学フィルム。
［４３］
約１マイクロメートル以上である厚さを有する、項目１に記載の勾配光学フィルム。
［４４］
約２マイクロメートル以上である厚さを有する、項目１に記載の勾配光学フィルム。
［４５］
基材と、
前記基材上に配置される項目１に記載の勾配光学フィルムと、を含む、光学構造物。
［４６］
前記基材が、剥離ライナ、接着剤、吸収偏光子、反射偏光子、ファイバ偏光子、又はワイヤグリッド偏光子を含む、項目４５に記載の光学構造物。
［４７］
項目１に記載の勾配光学フィルムの反対面上に配置される光学接着剤層を更に含む、項目４５に記載の光学構造物。
［４８］
前記基材と項目１に記載の勾配光学フィルムとの間に配置される光学接着剤層を更に含む、項目４５に記載の光学構造物。
［４９］
結合剤と、
複数の細長粒子と、
複数の相互接続した空隙と、を含む勾配光学フィルムであって、前記複数の相互接続した空隙の局所体積分率が、前記勾配光学フィルムの厚さ方向に沿って変化し、
前記勾配光学フィルムの第１の表面に近接した前記複数の相互接続した空隙の第１の局所体積分率が、前記勾配光学フィルムの反対面に近接した前記複数の相互接続した空隙の第２の局所体積分率よりも高い、勾配光学フィルム。
［５０］
前記複数の相互接続した空隙の前記局所体積分率が、前記勾配光学フィルムの前記厚さに沿って最小局所体積分率又は最大局所体積分率を含む、項目４９に記載の勾配光学フィルム。
［５１］
前記複数の相互接続した空隙の前記局所体積分率が、前記勾配光学フィルムの前記厚さ方向に沿って単調に変化する、項目４９に記載の勾配光学フィルム。
［５２］
前記複数の相互接続した空隙の前記局所体積分率が、前記勾配光学フィルムの前記厚さ方向に沿って階段状に変化する、項目４９に記載の勾配光学フィルム。
［５３］
前記複数の相互接続した空隙の前記第２の体積分率が、前記複数の相互接続した空隙の前記第１の体積分率の５０％未満である、項目４９に記載の勾配光学フィルム。
［５４］
前記複数の相互接続した空隙の前記第２の体積分率が、前記複数の相互接続した空隙の前記第１の体積分率の２０％未満である、項目４９に記載の勾配光学フィルム。
［５５］
前記複数の相互接続した空隙の前記第２の体積分率が、前記複数の相互接続した空隙の前記第１の体積分率の１０％未満である、項目４９に記載の勾配光学フィルム。
［５６］
前記複数の相互接続した空隙の前記第２の体積分率が、前記複数の相互接続した空隙の前記第１の体積分率の１％未満である、項目４９に記載の勾配光学フィルム。
［５７］
前記勾配光学フィルムが、約３０％以上である前記複数の相互接続した空隙の嵩体積分率を有する、項目４９に記載の勾配光学フィルム。
［５８］
前記勾配光学フィルムが、約２０％以上である前記複数の相互接続した空隙の嵩体積分率を有し、前記勾配光学フィルムの厚さが約２．５マイクロメートル以上であり、前記勾配光学フィルムの光学ヘイズが約１０％以下である、項目４９に記載の勾配光学フィルム。
［５９］
前記複数の細長粒子における前記細長粒子が、約４以上である平均アスペクト比を有する、項目４９に記載の勾配光学フィルム。
［６０］
前記勾配光学フィルムの中の前記複数の相互接続した空隙の前記嵩体積分率が、約４０％以上である、項目５７に記載の勾配光学フィルム。
［６１］
前記勾配光学フィルムの前記厚さが、約２．５マイクロメートル以上である、項目５８に記載の勾配光学フィルム。
［６２］
前記勾配光学フィルムの前記光学ヘイズが、約１０％以下である、項目５８に記載の勾配光学フィルム。
［６３］
前記第１の表面における前記勾配光学フィルムの有効屈折率が、前記反対面における前記勾配光学フィルムの有効屈折率よりも低い、項目４９に記載の勾配光学フィルム。
［６４］
前記第１の表面における前記勾配光学フィルムの前記有効屈折率と、前記反対面における前記勾配光学フィルムの前記有効屈折率の差が、約０．０１〜約０．２５の範囲である、項目６３に記載の勾配光学フィルム。
［６５］
前記第１の表面における前記勾配光学フィルムの前記有効屈折率が、約１．３以下である、項目６３に記載の勾配光学フィルム。
［６６］
前記第１の表面における前記勾配光学フィルムの前記有効屈折率が、約１．２５以下である、項目６３に記載の勾配光学フィルム。
［６７］
前記第１の表面における前記勾配光学フィルムの前記有効屈折率が、約１．２以下である、項目６３に記載の勾配光学フィルム。
［６８］
複数の細長粒子と、
複数の空隙と、を含む勾配光学フィルムであって、該複数の相互接続した空隙の局所体積分率が、前記勾配光学フィルムの厚さ方向に沿って変化し、
前記勾配光学フィルムが、前記勾配光学フィルムの反対面に近接した第２の屈折率よりも低い、前記勾配光学フィルムの第１の表面に近接した第１の屈折率を有し、前記第１の屈折率が約１．３以下である、勾配光学フィルム。
［６９］
前記複数の相互接続した空隙の前記局所体積分率が、前記勾配光学フィルムの前記厚さ方向に沿って単調に変化する、項目６８に記載の勾配光学フィルム。
［７０］
前記複数の相互接続した空隙の前記局所体積分率が、前記勾配光学フィルムの前記厚さに沿って最小局所体積分率又は最大局所体積分率を含む、項目６８に記載の勾配光学フィルム。
［７１］
前記複数の相互接続した空隙の前記局所体積分率が、前記勾配光学フィルムの前記厚さ方向に沿って階段状に変化する、項目６８に記載の勾配光学フィルム。
［７２］
前記複数の相互接続した空隙の前記第２の体積分率が、前記複数の相互接続した空隙の前記第１の体積分率の５０％未満である、項目６８に記載の勾配光学フィルム。
［７３］
前記複数の相互接続した空隙の前記第２の体積分率が、前記複数の相互接続した空隙の前記第１の体積分率の２０％未満である、項目６８に記載の勾配光学フィルム。
［７４］
前記複数の相互接続した空隙の前記第２の体積分率が、前記複数の相互接続した空隙の前記第１の体積分率の１０％未満である、項目６８に記載の勾配光学フィルム。
［７５］
前記複数の相互接続した空隙の前記第２の体積分率が、前記複数の相互接続した空隙の前記第１の体積分率の１％未満である、項目６８に記載の勾配光学フィルム。
［７６］
前記勾配光学フィルムが、約３０％以上である前記複数の相互接続した空隙の嵩体積分率を有する、項目６８に記載の勾配光学フィルム。
［７７］
前記第１の表面における前記勾配光学フィルムの前記第１の屈折率と、前記反対面における前記勾配光学フィルムの前記第１の屈折率との差が、約０．０１〜約０．２５の範囲である、項目６８に記載の勾配光学フィルム。
［７８］
前記第１の表面における前記勾配光学フィルムの前記第１の屈折率が約１．３５以下であり、前記反対面における前記勾配光学フィルムの前記第２の屈折率が１．４５以上である、項目６８に記載の勾配光学フィルム。
［７９］
前記第１の表面における前記勾配光学フィルムの前記第１の屈折率が約１．２５以下であり、前記反対面における前記勾配光学フィルムの前記第２の屈折率が１．４以上である、項目６８に記載の勾配光学フィルム。
［８０］
前記第１の表面における前記勾配光学フィルムの前記第１の屈折率が約１．２０以下であり、前記反対面における前記勾配光学フィルムの前記第２の屈折率が１．３５以上である、項目６８に記載の勾配光学フィルム。
［８１］
約５マイクロメートル以上である厚さと、約１０％以下である光学ヘイズとを更に含む、項目６８に記載の勾配光学フィルム。
［８２］
前記勾配光学フィルムが、約１．２５以下である第１の屈折率を有する、項目６８に記載の勾配光学フィルム。
［８３］
前記勾配光学フィルムが、約１０マイクロメートル以上である厚さを有する、項目６８に記載の勾配光学フィルム。
［８４］
前記勾配光学フィルムが、１５マイクロメートル以上である厚さを有する、項目６８に記載の勾配光学フィルム。
［８５］
複数の構造体を含む構造化表面と；
前記構造化表面上にコーティングされかつ前記構造化表面を実質的に平坦化する、複数の相互接続した空隙を含む勾配光学フィルムと、を含む光学構造物であって、前記複数の相互接続した空隙の局所体積分率が、前記勾配光学フィルムの厚さ方向に沿って変化し、
前記複数の構造体に近接した前記複数の相互接続した空隙の第１の局所体積分率が、前記勾配光学フィルムの反対面に近接した前記複数の相互接続した空隙の第２の局所体積分率よりも高い、光学構造物。
［８６］
前記勾配光学フィルムが、約１．３以下である前記複数の構造体に近接した屈折率を更に含む、項目８５に記載の光学構造物。
［８７］
前記勾配光学フィルムが、約１０％以下である光学ヘイズを更に含む、項目８５に記載の光学構造物。
［８８］
前記勾配光学フィルムが、複数の細長粒子を更に含む、項目８５に記載の光学構造物。
［８９］
前記勾配光学フィルムが、約９０％以上である光学ヘイズを有する、項目８５に記載の光学構造物。
［９０］
約８０％以上である光学ヘイズを有し、垂直入射光に関して前記勾配光学フィルムによって散乱される光が、０度で輝度Ｌ１、及び１０度で輝度Ｌ２を有し、Ｌ１／Ｌ２は約１０以上である、項目１に記載の勾配光学フィルム。
［９１］
Ｌ１／Ｌ２が約２０以上である、項目９０に記載の勾配光学フィルム。
［９２］
Ｌ１／Ｌ２が約５０以上である、項目９０に記載の勾配光学フィルム。
［９３］
Ｌ１／Ｌ２が約１００以上である、項目９０に記載の勾配光学フィルム。
［９４］
約３０％以上である光学ヘイズを有する光拡散層と；
前記光拡散層の上に配置される項目１に記載の勾配光学フィルムと；
前記勾配光学フィルムの上に配置される反射偏光子層と、を含む光学構造物であって、前記光学構造物中の２つの隣り合う主表面のそれぞれの実質的部分が、互いに物理的に接触する、光学構造物。
［９５］
前記勾配光学フィルムが、光学接着剤層を介して前記反射偏光子層及び前記光拡散層の少なくとも一方に積層される、項目９４に記載の光学構造物。
［９６］
前記勾配光学フィルムが、前記反射偏光子層及び前記光拡散層の少なくとも一方にコーティングされる、項目９４に記載の光学構造物。
［９７］
約３０％以上である光学ヘイズを有する光拡散層と；
前記光拡散層の上に配置される項目１に記載の勾配光学フィルムと；
前記勾配光学フィルムの上に配置される部分反射体層と、を含む光学構造物であって、前記光学構造物中の２つの隣り合う主表面のそれぞれの実質的部分が、互いに物理的に接触する、光学構造物。
［９８］
前記勾配光学フィルムが、光学接着剤層を介して前記部分反射体層及び前記光拡散層の少なくとも一方に積層される、項目９７に記載の光学構造物。
［９９］
前記勾配光学フィルムが、前記部分反射体層及び前記光拡散層の少なくとも一方にコーティングされる、項目９７に記載の光学構造物。
［１００］
複数の平行プリズムを有する輝度上昇フィルム（ＢＥＦ）と；
前記ＢＥＦの上にコーティングされかつ前記ＢＥＦを実質的に平坦化する、複数の相互接続した空隙を含む勾配光学フィルムと、を含む光学構造物であって、前記複数の相互接続した空隙の局所体積分率が、前記勾配光学フィルムの厚さ方向に沿って変化し、
前記複数の平行プリズムに近接した前記複数の相互接続した空隙の第１の局所体積分率が、前記勾配光学フィルムの反対面に近接した前記複数の相互接続した空隙の第２の局所体積分率よりも高い、光学構造物。
［１０１］
前記勾配光学フィルムが、約１．３以下である前記複数の平行プリズムに近接した屈折率を更に含む、項目１００に記載の光学構造物。
［１０２］
前記勾配光学フィルムの前記反対面上に配置される光学接着剤を更に含む、項目１００に記載の光学構造物。
［１０３］
前記勾配光学フィルムが、約９０％以上である光学ヘイズを有する、項目１００に記載の光学構造物。
［１０４］
結合剤と、
複数の粒子とを含む勾配光学フィルムであって、前記結合剤と前記複数の粒子の重量比が約１：２以上であり、屈折率が前記勾配光学フィルムの厚さ方向に沿って変化する、勾配光学フィルム。
［１０５］
約３０％以上である光学ヘイズを有する光拡散層と；
前記光拡散層の上に配置される勾配光学フィルムであって、
結合剤と、
複数の粒子と、を含み、屈折率が前記傾斜光学フィルムの厚さ方向に沿って変化する、傾斜光学フィルムと；
前記傾斜光学フィルムの上に配置される反射偏光子層と、を含む光学構造物であって、前記光学構造物中の２つの隣り合う主表面のそれぞれの実質的部分が、互いに物理的に接触する、光学構造物。
【手続補正２】
【補正対象書類名】特許請求の範囲
【補正対象項目名】全文
【補正方法】変更
【補正の内容】
【特許請求の範囲】
【請求項１】
結合剤と、
複数の細長粒子と、
複数の相互接続した空隙と、を含む勾配光学フィルムであって、前記複数の相互接続した空隙の局所体積分率が、前記勾配光学フィルムの厚さ方向に沿って変化し、
前記勾配光学フィルムの第１の表面に近接した前記複数の相互接続した空隙の第１の局所体積分率が、前記勾配光学フィルムの反対面に近接した前記複数の相互接続した空隙の第２の局所体積分率よりも高い、勾配光学フィルム。
【請求項２】
複数の細長粒子と、
複数の空隙と、を含む勾配光学フィルムであって、該複数の相互接続した空隙の局所体積分率が、前記勾配光学フィルムの厚さ方向に沿って変化し、
前記勾配光学フィルムが、前記勾配光学フィルムの反対面に近接した第２の屈折率よりも低い、前記勾配光学フィルムの第１の表面に近接した第１の屈折率を有し、前記第１の屈折率が約１．３以下である、勾配光学フィルム。
【請求項３】
複数の構造体を含む構造化表面と；
前記構造化表面上にコーティングされかつ前記構造化表面を実質的に平坦化する、複数の相互接続した空隙を含む勾配光学フィルムと、を含む光学構造物であって、前記複数の相互接続した空隙の局所体積分率が、前記勾配光学フィルムの厚さ方向に沿って変化し、
前記複数の構造体に近接した前記複数の相互接続した空隙の第１の局所体積分率が、前記勾配光学フィルムの反対面に近接した前記複数の相互接続した空隙の第２の局所体積分率よりも高い、光学構造物。